(57)【特許請求の範囲】
【請求項１】
背面に第一孔を有する箱と、壁に固定されうる取付具と、ヘッド及びシャンクを有するボルトと、ナットとを備えており、
上記取付具が、壁に当接するベースと、このベースから前方に突出して壁との間にスペースを形成しかつ前面に第二孔を有する突出部とを備えており、
上記突出部が、上記スペースに収納されるヘッドの回転を阻止するサイズに設定されており、
上記シャンクが第一孔及び第二孔を貫通しうるサイズに設定されており、
上記ナットが箱の内部に位置して上記シャンクと螺合しうるものであり、
上記ナットが上記シャンクと螺合するために回転する時点において、このナットが上記箱の中に位置するように構成された収容箱セット。
【請求項２】
開口を有するテンプレートをさらに備えており、
この開口の位置が、取付具を壁に固定するための締結具の位置と一致している請求項１に記載の収容箱セット。
【発明の詳細な説明】
【技術分野】
【０００１】
本発明は、郵便物、新聞、その他の配達物等を収容しうる収容箱に関する。詳細には、壁に取り付けられて用いられる収容箱に関する。
【背景技術】
【０００２】
門柱、外構等の壁に、メールボックスが取り付けられている。壁の材質が木材であるときは、ネジでメールボックスが壁に取り付けられる。壁の材質がコンクリート等であるときは、壁に打ち込まれたアンカープラグとネジとにより、メールボックスが壁に取り付けられる。いずれの場合も、ネジのヘッドはメールボックスの内部に位置している。ネジのシャンクは、メールボックスの背面を貫通し、壁に至っている。
【発明の開示】
【発明が解決しようとする課題】
【０００３】
ネジは通常、ドライバーで回される。前述の通り、ヘッドはメールボックスの内部に位置しているので、このネジが回されるには、メールボックスの内部にドライバーが入れられる必要がある。メールボックスには十分なスペースがないので、一般的なドライバーは用いられ得ない。Ｌ型ドライバー又はグリップの短いドライバーによって、ネジが回される。これらのドライバーは、使い勝手が悪い。しかも作業者は、位置ずれしないようにメールボックスを支えつつ、ネジを回さなければならない。メールボックスの取付作業は、容易ではない。
【０００４】
同様の問題は、新聞受け、牛乳受け等の収容箱でも生じている。
【０００５】
本発明の目的は、壁に容易に取り付けられうる収容箱の提供にある。
【課題を解決するための手段】
【０００６】
本発明に係る収容箱セットは、
（１）背面に第一孔を有する箱
（２）壁に固定されうる取付具
（３）ヘッド及びシャンクを有するボルト
及び
（４）ナット
を備える。取付具は、壁に当接するベースと突出部とを備える。この突出部は、ベースから前方に突出して壁との間にスペースを形成する。この突出部は、前面に第二孔を有する。突出部は、スペースに収納されるヘッドの回転を阻止するサイズに設定される。シャンクは、第一孔及び第二孔を貫通しうるサイズに設定される。ナットは、箱の内部に位置して上記シャンクと螺合しうる。
【０００７】
好ましくは、収容箱セットは、開口を有するテンプレートをさらに備える。この開口の位置は、取付具を壁に固定するための締結具の位置と一致する。
【発明の効果】
【０００８】
この収容箱セットでは、取付具を介して箱が壁に取り付けられる。取付具の壁への固定は、容易である。取付具への箱の取付は、取付具から起立するボルトによってなされる。この取付も、容易である。
【発明を実施するための最良の形態】
【０００９】
以下、適宜図面が参照されつつ、好ましい実施形態に基づいて本発明が詳細に説明される。
【００１０】
図１は、本発明の一実施形態に係る収容箱セット２が示された分解斜視図である。このセット２は、箱４（具体的にはメールボックス）、２つの取付具６、４つのアンカープラグ８、４つの皿ネジ１０（締結具）、４つの六角ボルト１２、４つのパッキン１４、４つのワッシャー１６及び４つの袋ナット１８を備えている。セット２はさらに、後に詳説されるテンプレートを備えている。
【００１１】
六角ボルト１２は、ヘッド２０とシャンク２２とからなる。ヘッド２０は、六角形である。シャンク２２には、雄ネジが螺刻されている。
【００１２】
図２は、図１のセット２のメールボックス４が示された斜視図である。このメールボックス４は、本体２４及び屋根蓋２６からなる。本体２４は、前面２８、背面３０、２つの側面３２及び底面３４を備えている。図１に示されるように、背面３０は４つの第一孔３６を有している。
【００１３】
屋根蓋２６は、ヒンジ（図示されず）によって本体２４と結合されている。屋根蓋２６は、本体２４に対して開閉自在である。屋根蓋２６が開いた状態で、本体２４への郵便物の投入及び本体２４からの郵便物の取り出しがなされる。屋根蓋２６が閉じた状態では、この屋根蓋２６によって本体２４への雨水の浸入が阻止される。
【００１４】
本体２４及び屋根蓋２６の材質としては、合成樹脂、木材、陶磁材料及び金属が例示される。耐久性、軽量及び強度の観点から、繊維強化樹脂が好ましい。
【００１５】
図３（ａ）は図１のセット２の取付具６が示された水平方向に沿った断面図であり、図３（ｂ）はその一部が示された拡大背面図である。この取付具６は、ベース３８と２つの突出部４０とからなる。ベース３８は、平坦である。ベース３８は、２つの第三孔４２を備えている。突出部４０は、ベース３８から突出している。この突出により、スペース４４が形成されている。突出部４０は、その前面４６に第二孔４８を備えている。後に詳説されるように、この第二孔４８には六角ボルト１２のシャンク２２が通される。シャンク２２の外径は、第二孔４８の内径よりも若干小さい。図３では、六角ボルト１２が二点差線で示されている。この六角ボルト１２のヘッド２０は、スペース４４に収納されている。ヘッド２０は、突出部４０の側面５０により、回転が阻止されている。この突出部４０は、ヘッド２０に対していわゆる回り止めとして機能する。取付具６の典型的な材質は、ステンレススチールである。
【００１６】
図４は、図１のセット２のテンプレート５２が示された斜視図である。このテンプレート５２は、４つの開口５４を備えている。それぞれの開口５４の位置は、それぞれの皿ネジ１０の位置と対応している。テンプレート５２は、紙又は合成樹脂からなる。後述されるように、テンプレート５２は、メールボックス４の施工時にのみ用いられるものであり、耐久性は要求されない。コストの観点から、テンプレート５２の好ましい材質は、紙である。
【００１７】
図５は、図２のメールボックス４が壁５４に取り付けられた状態が示された、水平面に沿った断面図である。以下、図３及び５が参照されつつ、このメールボックス４の取付方法が説明される。まず壁５４にテンプレート５２が押し当てられ、開口５４の位置にペン５６（図４参照）等によって壁５４にマーキングがなされる。テンプレート５２は、廃棄されうる。
【００１８】
このマーキングがなされた位置において、ドリルで壁５４に穴５８が穿設される。この穴５８に、アンカープラグ８が打ち込まれる。アンカープラグ８は、内周面に雌ネジが螺刻された穴６０を備えている。
【００１９】
一方、取付具６の第二孔４８に六角ボルト１２のシャンク２２が通され、ヘッド２０が突出部４０に収容される。この状態が維持されたままで、取付具６の第三孔４２に皿ネジ１０が通され、この皿ネジ１０がアンカープラグ８に螺入される。皿ネジ１０の位置は、テンプレート５２の開口５４の位置と一致する。皿ネジ１０の螺入は、ドライバー等によって容易になされうる。皿ネジ１０の螺入により、取付具６が壁５４に堅固に固定される。固定により、ベース３８が壁５４に当接する。突出部４０の前面４６は、壁５４と離間している。壁５４への取付具６の固定により、六角ボルト１２のシャンク２２は壁５４から起立する。なお、壁５４が木材である場合は、アンカープラグ８が用いられず、皿ネジ１０が壁５４に直接に螺入させられてもよい。
【００２０】
起立したシャンク２２に、メールボックス４の第一孔３６が通される。シャンク２２の外径は、第一孔３６の内径よりも若干小さい。シャンク２２が第一孔３６に通されることにより、作業者がメールボックス４から手を離しても、メールボックス４はシャンク２２によって支えられる。作業者は、両手がフリーな状態で、次の作業を行うことができる。作業者は、シャンク２２にパッキン１４及びワッシャー１６を通す。パッキン１４及びワッシャー１６は環状である。パッキン１４は、ゴム又は軟質合成樹脂からなる。パッキン１４は弾性及び耐候性に優れている。ワッシャー１６は金属からなる。
【００２１】
作業者はさらに、シャンク２２と袋ナット１８とを螺合させる。ヘッド２０が突出部４０に収容されているので、シャンク２２は回転しない。袋ナット１８の回転により、シャンク２２と袋ナット１８との螺合が達成される。袋ナット１８の回転は、初期には作業者の指でなされる。作業者がメールボックス４に手を入れて、袋ナット１８を回転させる。袋ナット１８はさらに、図５に示されるレンチ６２のような工具で、回転させられる。この回転により螺合が完了し、メールボックス４が取付具６に堅固に固定される。メールボックス４は、取付具６を介して壁５４に取り付けられる。メールボックス４の内部のスペースは小さいが、レンチ６２、スパナのような、ナットを回転させる工具の使用に支障はない。このメールボックス４の壁５４への取付は、極めて容易である。
【産業上の利用可能性】
【００２２】
この取付構造は、スペースが十分でないため締結具の締め付けが困難である種々の箱の、壁への取付に用いられうる。
【図面の簡単な説明】
【００２３】
【図１】図１は、本発明の一実施形態に係る収容箱セットが示された分解斜視図である。
【図２】図２は、図１のセットのメールボックスが示された斜視図である。
【図３】図３（ａ）は図１のセットの取付具が示された水平方向に沿った断面図であり、図３（ｂ）はその一部が示された拡大背面図である。
【図４】図４は、図１のセットのテンプレートが示された斜視図である。。
【図５】図５は、図２のメールボックスが壁に取り付けられた状態が示された、水平面に沿った断面図である。
【符号の説明】
【００２４】
２・・・収容箱セット
４・・・箱（メールボックス）
６・・・取付具
８・・・アンカープラグ
１０・・・皿ネジ
１２・・・六角ボルト
１４・・・パッキン
１６・・・ワッシャー
１８・・・袋ナット
２０・・・ヘッド
２２・・・シャンク
２４・・・本体
２６・・・屋根蓋
３０・・・背面
３６・・・第一孔
３８・・・ベース
４０・・・突出部
４２・・・第三孔
４８・・・第二孔
５２・・・テンプレート
５４・・・開口
【図１】
0005241202.tif 000002
【図２】
0005241202.tif 000003
【図３】
0005241202.tif 000004
【図４】
0005241202.tif 000005
【図５】
0005241202.tif 000006